(57)【要約】      （修正有）【課題】親局と子局との間で情報を通信するシステムにおいて、通信装置のメモリ消費量を軽減させる。【解決手段】データ収集装置２では、存在情報受信部２１が、センサ端末３から存在情報を受信し、接続制御部２２が、当該存在情報に基づいてセンサ端末と接続し、センサ端末からのデータ受信タイミングを示す情報を設定し、センサ端末との接続を切断する。そして、データ受信部２３は、センサ端末からの片方向通信によりセンサ情報を受信する。【効果】データ収集装置は、一度接続して、データ受信タイミングを示す情報を設定した後、センサ端末との接続を切断してしまい、センサ情報を片方向通信により受信しているので、常時接続している状態を維持する場合と比較して、接続している状態を維持するための情報を使用しない分、データ収集装置が消費するメモリ容量を削減することができる。【選択図】図１
2019220929.tif 000002
【特許請求の範囲】
【請求項１】
子局の通信装置と通信可能である親局の通信装置であって、
前記子局の通信装置の存在情報を受信する存在情報受信部と、
前記存在情報受信部により受信された存在情報に基づいて、前記子局の通信装置と接続し、前記子局の通信装置からのデータ送信タイミングを設定する接続部と、
前記接続部によりデータ送信タイミングが設定された後に、前記子局の通信装置との接続を切断する切断部と、
前記接続部により設定されたデータ送信タイミングで、前記子局の通信装置からの片方向通信によりデータを受信するデータ受信部と、
を備える、通信装置。
【請求項２】
請求項１に記載の通信装置であって、
前記接続部は、前記子局の通信装置との再接続タイミングをさらに設定し、当該再接続タイミングで、前記子局の通信装置と再接続し、前記子局の通信装置からのデータ送信タイミングと、再接続タイミングとを再設定する、通信装置。
【請求項３】
請求項１に記載の通信装置であって、
前記データ送信タイミングを設定済みの子局の通信装置から再設定要求を示す情報を受信した場合、前記接続部は、前記子局の通信装置と再接続し、前記子局の通信装置からのデータ送信タイミングを再設定する、通信装置。
【請求項４】
請求項２に記載の通信装置であって、
前記データ送信タイミングを設定済みの子局の通信装置から再設定要求を示す情報を受信した場合、前記接続部は、前記子局の通信装置と再接続し、前記子局の通信装置からのデータ送信タイミングと、再接続タイミングを再設定する、通信装置。
【請求項５】
請求項２または４に記載の通信装置であって、
前記接続部は、前記再接続タイミングを動的に変更して再設定する、通信装置。
【請求項６】
親局の通信装置と通信可能である子局の通信装置であって、
自通信装置の存在情報に基づいて、前記親局の通信装置と接続し、前記親局の通信装置へのデータ送信タイミングを設定する接続部と、
前記接続部によりデータ送信タイミングが設定された後に、前記親局の通信装置との接続を切断する切断部と、
前記接続部により設定されたデータ送信タイミングで、前記親局の通信装置へ片方向通信によりデータを送信するデータ送信部と、
を備える、通信装置。
【請求項７】
親局の通信装置と、子局の通信装置とが通信可能である通信システムであって、
前記親局の通信装置は、
前記子局の通信装置の存在情報を受信する存在情報受信部と、
前記存在情報受信部により受信された存在情報に基づいて、前記子局の通信装置と接続し、前記子局の通信装置からのデータ送信タイミングを設定する接続部と、
前記接続部によりデータ送信タイミングが設定された後に、前記子局の通信装置との接続を切断する切断部と、
前記接続部により設定されたデータ送信タイミングで、前記子局の通信装置からの片方向通信によりデータを受信するデータ受信部と、
を備え、
前記子局の通信装置は、
自通信装置の存在情報に基づいて、前記親局の通信装置と接続し、前記親局の通信装置へのデータ送信タイミングを設定する接続部と、
前記接続部によりデータ送信タイミングが設定された後に、前記親局の通信装置との接続を切断する切断部と、
前記接続部により設定されたデータ送信タイミングで、前記親局の通信装置へ片方向通信によりデータを送信するデータ送信部と、
を備える、通信システム。
【発明の詳細な説明】
【技術分野】
【０００１】
本発明は、通信装置および通信システムに関するものである。
【背景技術】
【０００２】
一般に、無線通信システムにおいて情報を伝達する場合、２つの通信装置が接続状態にあり、決められた通信方式、プロトコルで情報を伝達する。例えば、非特許文献１のＢｌｕｅｔｏｏｔｈ（登録商標）規格における無線通信においては、一方の通信装置が送出するＡｄｖｅｒｔｉｓｉｎｇ  Ｐａｃｋｅｔを受けた別の通信装置が接続動作を開始し、お互いの通信情報を共有して、接続通信状態を維持しながら情報を伝達する。
【０００３】
例えば、一方の通信装置が無線通信子局（例えば、センサ端末）で、もう一方の通信装置が無線通信親局（例えば、センサ端末からの情報を収集する端末）となり、無線通信親局は、複数の端末との接続を確立・維持する。
【先行技術文献】
【非特許文献】
【０００４】
【非特許文献１】「BLUETOOTH CORE SPECIFICATION Version5.0」、Core Version 5.0、Bluetooth SIG、Dec 06 2016、https://www.bluetooth.com/specifications/bluetooth-core-specification
【発明の概要】
【発明が解決しようとする課題】
【０００５】
上記のように、親局の通信装置と子局の通信装置との間で接続を維持するためには、所定のメモリを消費することになる。例えば、上記文献におけるＢｌｕｅｔｏｏｔｈ  Ｌｏｗ  Ｅｎｅｒｇｙの通信においては、各接続において、少なくともＬｉｎｋＬａｙｅｒ情報の維持が必要となる。特に親局の通信装置で、多数の子局の通信装置と接続する場合、親局の通信装置のメモリを圧迫してしまうという問題がある。
【０００６】
そこで、上記のような親局の通信装置と子局の通信装置との間で情報を通信するシステムにおいて、通信装置のメモリ消費量を軽減させることが望まれる。
【０００７】
その他の目的と新規な特徴は、本明細書の記述および添付図面から明らかになるであろう。
【課題を解決するための手段】
【０００８】
本願において開示される発明のうち、代表的なものの概要を簡単に説明すれば、以下のとおりである。
【０００９】
一実施の形態による子局の通信装置と通信可能である親局の通信装置であって、子局の通信装置の存在情報を受信する存在情報受信部と、存在情報受信部により受信された存在情報に基づいて、子局の通信装置と接続し、子局の通信装置からのデータ送信タイミングを設定する接続部と、を備える。また、当該通信装置は、接続部によりデータ送信タイミングが設定された後に、子局の通信装置との接続を切断する切断部と、接続部により設定されたデータ送信タイミングで、子局の通信装置からの片方向通信によりデータを受信するデータ受信部と、を備える。
【発明の効果】
【００１０】
上記一実施の形態によれば、通信装置のメモリ消費量を軽減させることができる。
【図面の簡単な説明】
【００１１】
【図１】本実施形態の通信システムの構成例について概要を示した図である。
【図２】データ収集装置のハードウェア構成図である。
【図３】センサ端末のハードウェア構成図である。
【図４】センサ情報を送信する処理手順のフローチャートである。
【図５】従来のデータ収集装置とセンサ端末を有する通信システムにおける接続状態の例を示した図である。
【図６】データ収集装置が記憶しているセンサ端末の情報を記憶している状態を説明する図である。
【図７】本実施形態の通信システムにおける接続状態の例を示した図である。
【図８】データ収集装置が記憶しているセンサ端末の情報を記憶している状態を説明する図である。
【発明を実施するための形態】
【００１２】
以下、本実施の形態を図面に基づいて詳細に説明する。なお、実施の形態を説明するための全図において、同一部には原則として同一の符号を付し、その繰り返しの説明は省略する。一方で、ある図において符号を付して説明した部位について、他の図の説明の際に再度の図示はしないが同一の符号を付して言及する場合がある。
【００１３】
図１は、本実施形態の通信システム１の構成例について概要を示した図である。本実施形態の通信システム１は、データ収集装置２（親局の通信装置）と、センサ端末３（子局の通信装置）とを含む。なお、データ収集装置２およびセンサ端末３は、１台でもよいし、複数台でもよい。
【００１４】
センサ端末３は、各種センサを有し、当該センサにより測定された情報（センサ情報）をデータ収集装置２へ送信する。データ収集装置２は、各センサ端末３からセンサ情報を取得することにより、センサ情報を収集する。
【００１５】
通信システム１では、各センサ端末３のセンサで測定された結果であるセンサ情報をデータ収集装置２へ送信し、データ収集装置２は、当該センサ情報を取得して、当該センサ情報を用いて各種処理（データ処理）をする。データ収集装置２は、当該処理として、取得したセンサ情報を解析処理したり、蓄積したり、図示しないセンタ装置（例えば、サーバ装置）へ送信したりする。
【００１６】
データ収集装置２と、センサ端末３とは、近距離無線通信（例えば、ＢＬＥ（Bluetooth Low Energy））により互いに情報を送受信することができる。また、センサ端末３からデータ収集装置２へ片方向通信することもできる。このように、データ収集装置２は、センサ端末３と通信可能な通信装置である。また、センサ端末３もデータ収集装置２と通信可能な通信装置である。
【００１７】
本実施形態のＢＬＥにおいては、Ｐｒｉｍａｒｙ  Ｃｈａｎｎｅｌを用いてもよいし、Ａｄｖｅｒｔｉｓｅ  Ｅｘｔｅｎｓｉｏｎにおける、Ｓｅｃｏｎｄａｒｙ  Ｃｈａｎｎｅｌを用いてもよい。Ｓｅｃｏｎｄａｒｙ  Ｃｈａｎｎｅｌを用いる場合、常に送信周波数が異なるため、他の通信との衝突が起きにくく、通信の途中から第三者によって傍受されにくいという特徴を持つ。
【００１８】
センサ端末３がデータ収集装置２へセンサ情報を送信するために、予めデータ収集装置２へ自装置の存在情報（Advertising Packet）を配信または送信し、当該存在情報に基づいてデータ収集装置２と接続する。この存在情報は、センサ端末３の存在を示すものであり、センサ端末３を識別する情報を含む。当該存在情報は、例えば、固定サイズの情報である。センサ端末３は、所定のタイミングで（定期的または不定期に）当該存在情報を出力する。センサ端末３は、接続相手を特定して当該存在情報を送信してもよいし、接続相手を特定せずに配信するようにしてもよい。
【００１９】
なお、データ収集装置２の接続相手となるセンサ端末３を示す情報のリストを他の装置（例えば、センタ装置）が予め記憶していてもよい。接続相手となるセンサ端末３を示す情報として、接続相手となるセンサ端末３の識別情報を含む情報（例えば、存在情報）などが含まれる。
【００２０】
従来では、接続した状態を維持して、センサ情報を収集していたが、本実施形態の通信システム１では、データ収集装置２は、センサ端末３と接続した後に、当該接続を切断してから片方向通信により、センサ情報を取得する。
【００２１】
続いて、データ収集装置２の詳細を説明する。データ収集装置２は、存在情報受信部２１と、接続制御部２２（接続部、切断部）と、データ受信部２３と、データ処理部２４とを含む。データ収集装置２の各機能の説明をする前に、図２を用いて、データ収集装置２のハードウェア構成を説明する。
【００２２】
図２は、データ収集装置２のハードウェア構成図である。図２に示すように、データ収集装置２は、ＣＰＵ（Central Processing Unit）２０１、主記憶装置であるＲＡＭ（Random Access Memory）２０２、およびＲＯＭ（Read Only Memory）２０３のハードウェアにより構成される。また、データ収集装置２は、さらにネットワークカード等のデータ送受信デバイスである通信モジュール２０４、近距離無線通信のための通信モジュール等である近距離無線通信部２０５等のハードウェアにより構成されている。これらの構成要素が、動作することにより、データ収集装置２の上記および後述する機能が発揮される。
【００２３】
図１に戻り、存在情報受信部２１は、センサ端末３により出力された存在情報を受信する部分である。存在情報受信部２１は、センサ端末３から存在情報を受信すると、当該存在情報を接続制御部２２へ送出する。なお、存在情報受信部２１は、センサ端末３から存在情報を受信する代わりに、他の装置（例えば、センタ装置）から上述のリストを受信するようにしてもよい。
【００２４】
接続制御部２２は、存在情報受信部２１により受信された存在情報に基づいて、センサ端末３と接続し、センサ端末３からの片方向通信におけるデータ送信タイミングを設定する部分である。接続制御部２２は、データ送信タイミングとして、基準となるタイミングを示す情報（例えば、基準となる時刻を示す情報）や頻度（送信する間隔）を示す情報を設定する。接続制御部２２は、存在情報受信部２１から存在情報を取得すると、当該存在情報を解析して、接続する必要があるか否かを判断する。例えば、接続制御部２２は、当該存在情報に接続先を示す情報が含まれる場合、当該接続先が自装置か否かを判断して、当該接続先が自装置である場合、センサ端末３と接続する必要があると判断する。
【００２５】
なお、接続制御部２２は、上述のリストに対応するセンサ端末３に接続する必要があると判断するようにしてもよい。
【００２６】
接続制御部２２は、上記判断した結果、センサ端末３と接続する必要があると判断した場合、接続要求を示す信号を送信する等の接続動作を開始し、相互にデータ通信可能となる接続モードに移行させる。
【００２７】
接続制御部２２は、接続モードに移行した状態で、センサ端末３からセンサ情報受信に関する設定（片方向通信モードに移行した時の動作設定）をする。例えば、接続制御部２２は、センサ端末３からセンサ情報が送信されるタイミングを決定し、当該タイミングを設定する（当該タイミングを示す情報を記憶する）。例えば、接続制御部２２は、データ収集装置２が予め定めている各センサ端末３からセンサ情報を受け付ける間隔および基準となるタイミングを示す情報（例えば、基準となる時刻）などを当該送信タイミングとして設定する。また、接続制御部２２は、センサ端末３からセンサ情報の送信間隔を示す情報を取得し、当該送信間隔の情報を当該送信タイミングとして設定するようにしてもよい。なお、接続制御部２２は、伝送するデータの大きさ等の情報を設定するようにしてもよい。
【００２８】
接続制御部２２は、自装置に当該送信タイミングを設定すると共に、センサ端末３へ当該送信タイミングを示す情報を送出する。センサ端末３は、当該送信タイミングを示す情報を受信すると、当該送信タイミングを示す情報を設定する。
【００２９】
また、接続制御部２２は、センサ端末３と再接続するタイミングを設定する。例えば、接続制御部２２は、データ収集装置２が予め定めている各センサ端末３と再接続するタイミングを設定する。また、接続制御部２２は、センサ端末３から再接続するタイミングを示す情報を取得し、当該情報を再接続するタイミングとして設定するようにしてもよい。
【００３０】
また、接続制御部２２は、センサ端末３からセンサ情報を受信するタイミング（上記の送信タイミング）と、再接続するタイミングとを設定すると、センサ端末３との接続を切断する。例えば、接続制御部２２は、センサ端末３に対して、切断要求を示す信号を送出する。このように、接続制御部２２は、データ送信タイミングが設定された後に、センサ端末３との接続を切断する。
【００３１】
また、接続制御部２２は、センサ端末３からデータを受信するタイミングを示す情報をデータ受信部２３へ通知する。
【００３２】
また、接続制御部２２は、設定した再接続するタイミングになると、センサ端末３へ接続要求をして、センサ端末３と接続状態に移行する（再接続する）。接続制御部２２は、再接続すると、センサ端末３からのデータ送信タイミングと、再接続するタイミングとを再設定し、再設定した後に、切断する。このように、接続制御部２２は、センサ端末３からのデータ送信タイミングを繰り返して設定する。
【００３３】
また、接続制御部２２は、存在情報受信部２１により受信された存在情報を参照し、当該存在情報のセンサ端末３が、データ送信タイミングおよび再接続タイミングが設定済みのセンサ端末３である場合、当該センサ端末３と再接続し、当該設定済みのデータ送信タイミングおよび再接続タイミングを破棄して、データ送信タイミングと再接続タイミングを設定し直す。この場合、上記存在情報が、再設定要求を示す情報となる。
【００３４】
なお、接続制御部２２は、上記再接続タイミングを再設定する度に変えてもよい（例えば、接続制御部２２は、再接続するタイミングが段々長くなるように変えてもよい）。すなわち、接続制御部２２は、再接続タイミングを動的に変更して再設定してもよい。
【００３５】
データ受信部２３は、接続制御部２２により設定されたデータ送信タイミングで、センサ端末３からの片方向通信によりデータを受信する部分である。ここでいう片方向通信とは、センサ端末３からデータ収集装置２に向かって一方的にデータを送信するものであり、センサ端末３は、送信のみ、データ収集装置２は、受信のみの動作となる。よって、センサ端末３は、受信動作や接続モード時の維持に必要なメモリの使用および電力消費を省くことができ、データ収集装置２は、送信動作や接続モードの維持に必要なメモリの使用および電力消費を省くことが可能となる。
【００３６】
データ受信部２３は、センサ端末３からデータを受信するタイミング（送信タイミング）を、接続制御部２２から取得し、当該タイミングに基づいて、センサ端末３から片方向通信によりセンサ情報を受信する。データ受信部２３は、受信したセンサ情報をデータ処理部２４へ送出する。
【００３７】
データ処理部２４は、データ受信部２３から取得したセンサ情報をデータ処理する部分である。データ処理部２４は、センサ情報を解析処理したり、蓄積したり、図示しないセンタ装置へ送信したりする。
【００３８】
続いて、センサ端末３について、詳細を説明する。センサ端末３は、存在情報出力部３１と、接続制御部３２（接続部、切断部）と、センサ情報取得部３３と、データ送信部３４とを含む。センサ端末３の各機能の説明をする前に、図３を用いて、センサ端末３のハードウェア構成を説明する。
【００３９】
図３は、センサ端末３のハードウェア構成図である。図３に示すように、センサ端末３は、ＣＰＵ３０１、主記憶装置であるＲＡＭ３０２、ＲＯＭ３０３、各種センサ装置（例えば、温度センサ）であるセンサ３０４、近距離無線通信デバイス等である近距離無線通信部３０５等のハードウェアにより構成されている。これらの構成要素が、動作することにより、センサ端末３の上記および後述する機能が発揮される。
【００４０】
図１に戻り、存在情報出力部３１は、自センサ端末３の存在情報を送信・配信することで、存在情報を出力する部分である。存在情報出力部３１は、センサ端末３のユーザが指定したタイミングや、周期的に上記存在情報を出力する。
【００４１】
接続制御部３２は、存在情報出力部３１により出力された存在情報に基づいてデータ収集装置２と接続し、当該データ収集装置２へセンサ情報を送信するタイミング（送信タイミング）を設定する部分である。データ収集装置２が上記存在情報を受信し、当該存在情報を参照し、接続要求すると、接続制御部３２は、当該接続要求を受信し、これに応じてデータ収集装置２と接続する。
【００４２】
接続制御部３２は、データ収集装置２からセンサ情報の送信タイミングを示す情報を受信すると、当該送信タイミングを示す情報を設定する。なお、接続制御部３２は、当該タイミングを示す情報をデータ収集装置２へ送信し、データ収集装置２から承諾を示す情報を受信して、当該タイミングを示す情報を送信タイミングとして設定するようにしてもよい。
【００４３】
また、接続制御部３２は、データ収集装置２からデータ収集装置２と再接続するタイミングを示す情報を受信し、当該情報を設定する。なお、接続制御部３２は、当該再接続するタイミングを示す情報をデータ収集装置２へ送信し、データ収集装置２から承諾を示す情報を受信して、当該再接続するタイミングを示す情報を設定するようにしてもよい。
【００４４】
また、接続制御部３２は、センサ情報の送信タイミングを示す情報およびデータ収集装置２と再接続するタイミングを示す情報を設定した後に、上記データ収集装置２から切断要求を受信すると、当該切断要求に応じて、データ収集装置２との接続を切断する。
【００４５】
また、接続制御部３２は、設定されている再接続するタイミングを示す情報に基づいて、データ収集装置２と再接続する。
【００４６】
センサ情報取得部３３は、センサ３０４により測定された結果であるセンサ情報を取得する部分である。センサ情報取得部３３は、センサ情報を取得すると、当該センサ情報をデータ送信部３４へ送出する。
【００４７】
データ送信部３４は、接続制御部３２により設定された送信タイミングでデータ収集装置２へ片方向通信によりセンサ情報を送信する部分である。
【００４８】
データ送信部３４は、接続制御部３２から送信タイミングを示す情報を取得する。また、データ送信部３４は、センサ情報取得部３３からセンサ情報を取得する。
【００４９】
データ送信部３４は、当該送信タイミングになったことを検知すると、センサ情報取得部３３から取得したセンサ情報を片方向通信で、データ収集装置２へ送信する。
【００５０】
＜処理フロー＞
続いて、図４に示すフローチャートを用いて、センサ端末３とデータ収集装置２との間で接続して、センサ端末３からデータ収集装置２へセンサ情報を送信する処理手順を説明する。図４は、センサ情報を送信する処理手順のフローチャートである。
【００５１】
まず、センサ端末３の存在情報出力部３１は、所定のタイミングで存在情報（Advertising Packet）を出力し、データ収集装置２の存在情報受信部２１が当該存在情報を受信する（ステップＳ１）。
【００５２】
続いて、データ収集装置２の接続制御部２２は、当該存在情報に基づいて、センサ端末３へ接続要求（connection要求）をする。センサ端末３の接続制御部３２は、当該接続要求に応じて接続処理をする（ステップＳ２）。
【００５３】
続いて、センサ端末３の接続制御部３２とデータ収集装置２の接続制御部２２とが、送信タイミングを示す情報と再接続するタイミングを示す情報とを設定することにより、互いにパラメータの設定（Parameter setting）をする（ステップＳ３）。
【００５４】
続いて、データ収集装置２の接続制御部２２は、センサ端末３に対して、切断要求（Disconnection要求）をして、センサ端末３の接続制御部３２は、これに応じて切断をする（ステップＳ４）。
【００５５】
続いて、センサ端末３のデータ送信部３４は、送信タイミング時にセンサ情報をデータ収集装置２へ片方向通信で送信する（ステップＳ５、ステップＳ６、ステップＳ７）。データ収集装置２のデータ受信部２３は、当該センサ情報を受信して、データ処理部２４は、収集したセンサ情報についてデータ処理を行う。
【００５６】
上述のように、データ収集装置２が、センサ情報を片方向通信により受信した後、再接続するタイミングになった場合、データ収集装置２の接続制御部２２は、センサ端末３に対して接続要求（connection要求）をする。センサ端末３の接続制御部３２は、当該接続要求に応じて接続処理をする（ステップＳ８）。
【００５７】
続いて、センサ端末３の接続制御部３２とデータ収集装置２の接続制御部２２とが、送信タイミングを示す情報と再接続するタイミングを示す情報とを設定することにより、互いにパラメータの設定（Parameter setting）をして（ステップＳ９）、ステップＳ４へ移動する。このように、通信システム１は、接続、送信タイミングを示す情報と再接続するタイミングを示す情報との設定、切断、データ送信の処理を繰り返す。
【００５８】
（作用効果）
上述のように、データ収集装置２では、存在情報受信部２１が、センサ端末３から存在情報を受信し、接続制御部２２が、当該存在情報に基づいてセンサ端末３と接続し、センサ端末３からのデータ送信タイミングを示す情報を設定し、センサ端末３との接続を切断する。そして、データ受信部２３は、センサ端末３からの片方向通信によりセンサ情報を受信する。
【００５９】
このように、データ収集装置２は、一度接続して、データ送信タイミングを示す情報を設定した後、センサ端末３との接続を切断してしまい、センサ情報を片方向通信により受信しているので、常時接続している状態を維持する場合と比較して、接続している状態を維持するための情報を使用しない分、データ収集装置２が消費するメモリ容量を削減することができる。すなわち、通信装置のメモリ消費量を軽減することができる。また、通信装置の消費電力を軽減させることもできる。
【００６０】
ここで、図５に、従来のデータ収集装置４とセンサ端末５（センサ端末５ａ、センサ端末５ｂ、センサ端末５ｃ）を有する通信システムにおける接続状態の例を示す。従来の場合、例えば、センサ端末５ｃが、存在情報（Advertising Packet）を出力し、データ収集装置４とセンサ端末５ｃとの間で接続モードに移行した後、切断することなく、接続モードを維持する。
【００６１】
よって、データ収集装置４は、接続モードを維持するための情報（例えば、上述のLink Layer情報）を記憶するため、メモリを消費することになる。図５の場合、接続モードとなっているセンサ端末が３台あるので、３台分の接続モードを維持するための情報を保持する必要があり、台数に比例してメモリを圧迫することになり、接続可能な台数が限定されてしまう。特に安価に通信用ＩＣを提供しようとしているＢＬＥにおいては、メモリの大きさによる接続数の制限は顕著であると言える。
【００６２】
また、実装によってはＬｉｎｋＬａｙｅｒの制御を低消費電力かつ高速に行うために、ハードウェアで実装しているものもある。この場合は、接続数の上限がハードウェアで実装されているＬｉｎｋＬａｙｅｒ制御部の実装方法または構成で決まってしまう。
【００６３】
ここで、図６を用いて、データ収集装置４が記憶しているセンサ端末５の情報を記憶している状態を説明する。図６は、データ収集装置４が記憶しているセンサ端末５の情報（接続状態を維持するための情報）を記憶している状態を説明する図である。図６に示すように、ある実装においては、１端末の接続に必要なメモリ使用量は約１ｋバイトであるとすると、図５に示したように、３台のセンサ端末５がある場合、データ収集装置４は、３ｋバイト分メモリ容量を消費する。これが、もし１００台のセンサ端末５と接続するような大きなシステムの場合、１００ｋバイトのメモリ容量を消費することになる。
【００６４】
続いて、図７に、本実施形態のデータ収集装置２とセンサ端末３（センサ端末３ａ、センサ端末３ｂ、センサ端末３ｃ）を有する通信システムにおける接続状態の例を示す。
【００６５】
本実施形態の場合、例えば、センサ端末３ｃが、存在情報（Advertising Packet）を出力し、データ収集装置２とセンサ端末３ｃとの間で接続モードに移行した後、切断し、片方向通信モードでセンサ情報を送信するので、接続してから切断するまでの間以外、接続モードを維持するための情報を保持する必要がない。
【００６６】
ここで、図８を用いて、データ収集装置２が記憶しているセンタ端末３の情報を記憶している状態を説明する。図８は、データ収集装置２が記憶しているセンサ端末３の情報を記憶している状態を説明する図である。具体的には、センサ端末３ｃのみが接続状態であるときのデータ収集装置２が記憶しているセンサ端末３の情報を記憶している状態である。
【００６７】
図６で示したような３台の接続時のメモリ消費量は、３ｋバイトであるが、図８に示すように、センサ端末３ｃとの接続時に必要とするメモリ（１ｋバイト）は、切断後に開放される。一時的に接続している時を除いて、接続維持に必要なメモリ使用量は０バイトとなる。これは、１００台のセンサ端末からの情報を得ようとするシステムであっても同様で、従来のデータ収集装置４で必要だった１００ｋバイトの接続情報保持用メモリが０バイトとなる。
【００６８】
このように、データ収集装置２が消費するメモリ容量を削減することができる。この結果、データ収集装置２は、多数のセンサ端末３からデータ（センサ情報）を受信することが可能となる。
【００６９】
また、データ収集装置２の接続制御部２２は、再接続タイミングを示す情報も設定し、当該再接続タイミングでセンサ端末３と再接続し、データ送信タイミングを示す情報と再接続タイミングを示す情報を再設定する。この場合、データ収集装置２は、一度設定したデータ送信タイミングでは、不都合があるとき、データ送信タイミングを修正する機会を得ることができる。接続制御部２２は、再接続タイミングを動的に変更して再設定するようにしてもよい。
【００７０】
また、センサ端末３の存在情報出力部３１は、存在情報を出力し、接続制御部３２は、当該存在情報に基づいて、データ収集装置２と接続し、データ送信タイミングを示す情報を設定し、当該設定後にデータ収集装置２と切断する。データ送信部３４は、設定したタイミングで、片方向通信によりセンサ情報をデータ収集装置２へ送信する。
【００７１】
このように、センサ端末３は、データ収集装置２との接続状態を維持し続けずに、データ送信タイミングを示す情報を設定して、当該送信タイミングに基づいてデータ収集装置２へセンサ情報を送信するので、Ｌｉｎｋ  Ｌａｙｅｒ情報の維持が不要となる。この結果、データ収集装置２が消費するメモリ容量を削減することができる。また、通信装置の消費電力を軽減させることもできる。
【００７２】
なお、上述の実施形態では、センサ端末３の接続制御部３２とデータ収集装置２の接続制御部２２とが、送信タイミングを示す情報と再接続するタイミングを示す情報とを設定する場合について述べたが、送信タイミングを示す情報のみ設定するようにしてもよい。
【００７３】
この場合も、データ収集装置２は、接続してから切断するまでの間以外、接続状態を維持するための情報を保持する必要がないので、データ収集装置２が消費するメモリ容量を削減することができる。また、通信装置の消費電力を軽減させることもできる。
【００７４】
また、送信タイミングを示す情報のみ設定する場合に、データ収集装置２の存在情報受信部２１が存在情報を受信し、当該存在情報の送信元が、送信タイミングを示す情報を設定済みのセンサ端末３である場合、接続制御部２２は、センサ端末３と再接続し、データ送信タイミングを再設定するようにしてもよい。
【００７５】
また、上述の実施形態では、存在情報受信部２１が、データ送信タイミングを設定済みのセンサ端末３から存在情報を受信した場合に、接続制御部２２が、当該センサ端末３と再接続して、再接続タイミングまたはデータ送信タイミングを再設定する場合について述べたが、これに限られない。例えば、データ受信部２３が、片方向通信により受信したデータに再接続タイミングまたはデータ送信タイミングの再設定要求を示す情報を含まれている場合に、接続制御部２２が、再接続タイミングまたはデータ送信タイミングを再設定するようにしてもよい。
【００７６】
以上、本発明者によってなされた発明を実施の形態に基づき具体的に説明したが、本発明は上記の実施の形態に限定されるものではなく、その要旨を逸脱しない範囲で種々変更可能であることはいうまでもない。例えば、上記の実施の形態は本発明を分かりやすく説明するために詳細に説明したものであり、必ずしも説明した全ての構成を備えるものに限定されるものではない。また、上記の各実施の形態の構成の一部について、他の構成の追加・削除・置換をすることが可能である。
【産業上の利用可能性】
【００７７】
本発明は、他の装置と通信する通信装置に利用可能である。
【符号の説明】
【００７８】
１…通信システム、２…データ収集装置、３…センサ端末、４…データ収集装置、５…センサ端末、２１…存在情報受信部、２２…接続制御部、２３…データ受信部、２４…データ処理部、３１…存在情報出力部、３２…接続制御部、３３…センサ情報処理部、３４…データ送信部、２０１…ＣＰＵ、２０２…ＲＡＭ、２０３…ＲＯＭ、２０４…通信モジュール、２０５…近距離無線通信部、３０１…ＣＰＵ、３０２…ＲＡＭ、３０３…ＲＯＭ、３０４…センサ、３０５…近距離無線通信部。
【図１】
2019220929.tif 000003
【図２】
2019220929.tif 000004
【図３】
2019220929.tif 000005
【図４】
2019220929.tif 000006
【図５】
2019220929.tif 000007
【図６】
2019220929.tif 000008
【図７】
2019220929.tif 000009
【図８】
2019220929.tif 000010